(57)【要約】【課題】放送の視聴は継続したまま、付帯情報の収集動作による視聴への影響を低減したデジタル放送受信装置およびデジタル放送受信方法を提供する。【解決手段】アンテナを介して視聴用の第１放送波、または付帯情報を収集するための第２放送波を受信する複数のチューナと、チューナによって受信された第１放送波に基づく信号を合成または選択して出力するダイバーシティ制御部と、ダイバーシティ制御部から出力された信号から視聴信号と付帯情報とを分離する分離部と、分離部から出力された視聴信号に基づく放送内容が番組であるか否かを判定する種別判定部と、放送内容が番組でないと判定された場合の第２放送波を受信するためのチューナの割り当ての数を、放送内容が番組であると判定された場合の第２放送波を受信するためのチューナの割り当ての数よりも多くする割当部と、を備える。【選択図】図２
2015070532.tif 000002
【特許請求の範囲】
【請求項１】
アンテナを介して視聴用の第１放送波、または付帯情報を収集するための第２放送波を受信する複数のチューナと、
前記チューナによって受信された前記第１放送波に基づく信号を合成または選択して出力するダイバーシティ制御部と、
前記ダイバーシティ制御部から出力された信号から視聴信号と前記付帯情報とを分離する分離部と、
前記分離部から出力された前記視聴信号に基づく放送内容が番組であるか否かを判定する種別判定部と、
前記放送内容が前記番組でないと判定された場合の前記第２放送波を受信するための前記チューナの割り当ての数を、前記放送内容が前記番組であると判定された場合の前記第２放送波を受信するための前記チューナの割り当ての数よりも多くする割当部と、
を備えたデジタル放送受信装置。
【請求項２】
前記ダイバーシティ制御部の出力側の前記第１放送波に基づく信号である視聴関連信号の大きさを所定の閾値と比較するレベル判定部と、
前記分離部から分離された前記付帯情報を収集し、前記レベル判定部によって前記視聴関連信号の大きさが前記所定の閾値未満と判定された場合、前記付帯情報の収集動作を中止する付帯情報制御部と、
をさらに備え、
前記レベル判定部は、前記放送内容が前記番組でない場合においては、前記視聴関連信号の大きさを、前記所定の閾値としての第１閾値と比較し、前記放送内容が前記番組である場合においては、前記視聴関連信号の大きさを、前記第１閾値よりも大きい前記所定の閾値としての第２閾値と比較する請求項１に記載のデジタル放送受信装置。
【請求項３】
前記割当部は、前記付帯情報制御部による前記付帯情報の収集動作中において、前記種別判定部により判定された前記放送内容に基づいて、前記第１放送波を受信するための前記チューナの割り当て、および、前記第２放送波を受信するための前記チューナの割り当てを行う請求項２に記載のデジタル放送受信装置。
【請求項４】
前記割当部は、前記付帯情報制御部による前記付帯情報の収集動作中における前記第１放送波を受信するための前記チューナの割り当ての数を、前記付帯情報の収集動作の開始時における前記第１放送波を受信するための前記チューナの割り当ての数よりも大きくする請求項２または３に記載のデジタル放送受信装置。
【請求項５】
前記レベル判定部は、前記付帯情報制御部による前記付帯情報の収集動作の開始時であって、前記放送内容が特定の内容である場合の前記視聴関連信号の大きさを、前記所定の閾値としての第３閾値と比較し、前記付帯情報の収集動作中であって、前記放送内容が前記特定の内容である場合の前記視聴関連信号の大きさを、前記第３閾値よりも大きい前記所定の閾値としての第４閾値と比較する請求項２〜４のいずれか一項に記載のデジタル放送受信装置。
【請求項６】
アンテナを介して複数のチューナにより視聴用の第１放送波または付帯情報を収集するための第２放送波を受信するステップと、
前記チューナによって受信された前記第１放送波に基づく信号を合成または選択して出力するステップと、
合成または選択して出力した信号から視聴信号と前記付帯情報とを分離するステップと、
分離した前記視聴信号に基づく放送内容が番組であるか否かを判定するステップと、
前記放送内容が前記番組でないと判定した場合の前記第２放送波を受信するための前記チューナの割り当ての数を、前記放送内容が前記番組であると判定した場合の前記第２放送波を受信するための前記チューナの割り当ての数よりも多くするステップと、
を有するデジタル放送受信方法。
【発明の詳細な説明】
【技術分野】
【０００１】
本発明は、デジタル放送受信装置およびデジタル放送受信方法に関する。
【背景技術】
【０００２】
近年、電波を受信するためのアンテナおよびチューナをそれぞれ複数本備え、受信した同一の信号のうち、電波状況の優れたアンテナの信号を選択して用いたり、または、複数のアンテナで受信した信号を合成して用いるダイバーシティ方式の放送受信装置が採用されている。このような離れた２点間を電波によって情報をやり取りする無線放送は、有線放送と異なり、便利な半面、電波の状態によってその受信状態が大きく変化するという性質がある。例えば、無数の電波が混在する街中、または、電波の送受信機が高速で移動するような状況では、受信状態が不安定になることがある。ダイバーシティ方式は、このような状況に効果を発揮するもので、電波状況が変化しやすい移動体である放送受信装置の場合に、特に効果を発揮する。
【０００３】
また、このようなダイバーシティ方式のデジタル放送受信装置では、現在視聴している放送の視聴を継続したまま、視聴用以外の情報を収集する動作が主流となっている。視聴用以外の情報（以下、付帯情報という）としては、例えば、ＥＰＧ（Ｅｌｅｃｔｒｉｃ  Ｐｒｏｇｒａｍ  Ｇｕｉｄｅ）情報（番組情報）、および、現在視聴している放送と同内容の他のチャンネルの電波状況の情報等がある。
【０００４】
このような付帯情報を収集するダイバーシティ方式のデジタル放送受信装置として、電波の受信状態が良好な場合は、１つのアンテナから受信した電波を２つの処理系統で信号を処理し、一方からＥＰＧ情報を取得するダブルチューナー受信モードを起動し、受信状態が劣化している場合は、２つのアンテナから受信した電波を選択合成するダイバーシティ受信モードを起動するものが提案されている（特許文献１参照）。
【先行技術文献】
【特許文献】
【０００５】
【特許文献１】特開２００４−３４３２１０号公報
【発明の概要】
【発明が解決しようとする課題】
【０００６】
しかしながら、特許文献１に記載されたデジタル放送受信装置は、ダイバーシティ方式で動作するダイバーシティ受信モードにおいては、すべてのアンテナが視聴用の放送波の受信に利用されるので、ＥＰＧ情報を含む付帯情報の取得ができないという問題点があった。
【０００７】
また、特許文献１には、視聴者にとって、番組と比較して比較的視聴価値が低いと考えられるＣＭ（Ｃｏｍｍｅｒｃｉａｌ  Ｍｅｓｓａｇｅ）において、ＥＰＧ情報の収集を強化する等の措置についてはなんら記載されていない。
【０００８】
さらに、複数のチューナを有するデジタル放送受信装置において、視聴している放送のチャンネル以外のチャンネルの付帯情報を収集するために、単に、いくつかのチューナを付帯情報の収集のために割り当てると、視聴用のチューナの受信状態が相対的に悪くなる。そのため、ユーザーの移動等によって、電波の受信状態の急激な変化により、放送の視聴に大きく影響を与えてしまう可能性があった。
【０００９】
本発明は、上記に鑑みてなされたものであって、放送の視聴は継続したまま、付帯情報の収集動作による視聴への影響を低減したデジタル放送受信装置およびデジタル放送受信方法を提供することを目的とする。
【課題を解決するための手段】
【００１０】
上述した課題を解決し、目的を達成するために、本発明は、アンテナを介して視聴用の第１放送波、または付帯情報を収集するための第２放送波を受信する複数のチューナと、前記チューナによって受信された前記第１放送波に基づく信号を合成または選択して出力するダイバーシティ制御部と、前記ダイバーシティ制御部から出力された信号から視聴信号と前記付帯情報とを分離する分離部と、前記分離部から出力された前記視聴信号に基づく放送内容が番組であるか否かを判定する種別判定部と、前記放送内容が前記番組でないと判定された場合の前記第２放送波を受信するための前記チューナの割り当ての数を、前記放送内容が前記番組であると判定された場合の前記第２放送波を受信するための前記チューナの割り当ての数よりも多くする割当部と、を備える。
【発明の効果】
【００１１】
本発明によれば、放送の視聴は継続したまま、付帯情報の収集動作による視聴への影響を低減することができる。
【図面の簡単な説明】
【００１２】
【図１】図１は、実施形態に係るデジタル放送受信装置の全体外観の例を示す図である。
【図２】図２は、実施形態に係るデジタル放送受信装置のブロック構成の例を示す図である。
【図３】図３は、実施形態に係るデジタル放送受信装置の付帯情報の収集動作の例を示すフローチャートである。
【図４】図４は、割当テーブルの構成例を示す図である。
【図５】図５は、実施形態に係るデジタル放送受信装置の付帯情報の収集動作が正常に完了する場合の動作例を示すシーケンス図である。
【図６】図６は、付帯情報の収集動作が正常に完了する場合におけるＣ／Ｎ比の変遷の例を示す図である。
【図７】図７は、実施形態に係るデジタル放送受信装置の付帯情報の収集動作が途中で中止する場合の動作例を示すシーケンス図である。
【図８】図８は、付帯情報の収集動作が途中で中止する場合におけるＣ／Ｎ比の変遷の例を示す図である。
【発明を実施するための形態】
【００１３】
以下に、図面を参照しながら、本発明に係るデジタル放送受信装置およびデジタル放送受信方法の実施形態を詳細に説明する。また、以下の実施形態によって本発明が限定されるものではなく、以下の実施形態における構成要素には、当業者が容易に想到できるもの、実質的に同一のもの、およびいわゆる均等の範囲のものが含まれる。さらに、以下の実施形態の要旨を逸脱しない範囲で構成要素の種々の省略、置換および変更を行うことができる。
【００１４】
（デジタル放送受信装置の構成）
図１は、実施形態に係るデジタル放送受信装置の全体外観の例を示す図である。図２は、実施形態に係るデジタル放送受信装置のブロック構成の例を示す図である。図１および２を参照しながら、本実施形態に係るデジタル放送受信装置１の構成について説明する。
【００１５】
図１に示すように、デジタル放送受信装置１は、前面に視聴する放送内容を表示する表示器４０、放送の音声を出力するスピーカ４１、およびリモコン２からの操作信号を受信する受信部２６を備えている。デジタル放送受信装置１は、例えば、携帯テレビ、携帯電話、カーナビゲーションまたは携帯情報端末等である。
【００１６】
図２は、デジタル放送受信装置１のブロック構成を示している。図２に示すように、デジタル放送受信装置１は、アンテナ１０ａ〜１０ｆと、チューナ１１ａ〜１１ｆと、Ａ／Ｄ変換部１２ａ〜１２ｆと、ダイバーシティ制御部１３と、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数多重分割）復調部１４ａ、１４ｂと、多重分離部１５ａ、１５ｂ（分離部）と、ＭＰＥＧ復号部１６ａ、１６ｂと、スイッチング素子１７ａ、１７ｂと、を備えている。さらに、デジタル放送受信装置１は、ＥＰＧ制御部２０（付帯情報制御部）と、付帯情報記憶部２１と、切替制御部２２と、種別判定部２３と、信号レベル検出部２４と、選局部２５と、受信部２６と、制御部３０と、割当記憶部３５と、表示器４０と、スピーカ４１と、を備えている。
【００１７】
アンテナ１０ａ〜１０ｆは、放送波を受信し、指向性のないホイップアンテナ等であり、デジタル放送受信装置１に内蔵されている。以下、アンテナ１０ａ〜１０ｆを区別なく呼称する場合、または、総称する場合は単に「アンテナ１０」と称するものとする。
【００１８】
チューナ１１ａ〜１１ｆは、それぞれアンテナ１０ａ〜１０ｆにより受信された放送波（ＲＦ（Ｒａｄｉｏ  Ｆｒｅｑｕｅｎｃｙ）信号）を選局し、周波数変換してＩＦ（Ｉｎｔｅｒｍｅｄｉａｔｅ  Ｆｒｅｑｕｅｎｃｙ）信号にする装置である。後述するように、チューナ１１ａ〜１１ｆは、選局部２５から出力される制御信号に基づいて、特定の放送波を選局するようにチャンネルが設定される。以下、チューナ１１ａ〜１１ｆを区別なく呼称する場合、または、総称する場合は単に「チューナ１１」と称するものとする。
【００１９】
Ａ／Ｄ変換部１２ａ〜１２ｆは、それぞれチューナ１１ａ〜１１ｆから出力されたアナログ信号であるＩＦ信号をデジタル信号のＩＦ信号に変換する。以下、Ａ／Ｄ変換部１２ａ〜１２ｆを区別なく呼称する場合、または、総称する場合は単に「Ａ／Ｄ変換部１２」と称するものとする。
【００２０】
ダイバーシティ制御部１３は、Ａ／Ｄ変換部１２ａ〜１２ｆから出力されたＩＦ信号のうち後述する割当部３２から受信した割当情報に基づいて特定されるＩＦ信号を合成して出力する。そして、ダイバーシティ制御部１３は、合成したＩＦ信号を、出力側の第１ライン５０ａおよび第２ライン５０ｂのうちいずれかのラインに出力する。なお、ダイバーシティ制御部１３は、ＩＦ信号を合成するものとしたが、これに限定されるものではなく、電波状況が良好なＩＦ信号を選択して出力するものとしてもよい。また、本実施形態では、ダイバーシティ制御部１３から第１ライン５０ａに出力されたＩＦ信号を視聴用に使用するものとし、第２ライン５０ｂから出力されたＩＦ信号を付帯情報を取得するために使用するものとする。
【００２１】
ＯＦＤＭ復調部１４ａ、１４ｂは、ダイバーシティ制御部１３から出力されたＩＦ信号からＴＳ（Ｔｒａｎｓｐｏｒｔ  Ｓｔｒｅａｍ）パケットを生成する。以下、ＯＦＤＭ復調部１４ａ、１４ｂを区別なく呼称する場合、または、総称する場合は単に「ＯＦＤＭ復調部１４」と称するものとする。
【００２２】
多重分離部１５ａ、１５ｂは、チューナ１１ａ〜１１ｆにより選局されてチャンネルが設定され、それぞれＯＦＤＭ復調部１４ａ、１４ｂから出力されたＴＳパケットから映像信号（視聴信号）、音声信号（視聴信号）およびＥＰＧ情報（番組情報）等の付帯情報を分離する。ここで、ＥＰＧ情報（番組情報）は、テレビ番組のタイトル、番組内容、放送日、放送時間、チャンネルおよび出演者等が含まれる情報である。以下、多重分離部１５ａ、１５ｂを区別なく呼称する場合、または、総称する場合は単に「多重分離部１５」と称するものとする。
【００２３】
ＭＰＥＧ復号部１６ａ、１６ｂは、多重分離部１５ａ、１５ｂによって分離された映像信号および音声信号を、それぞれ映像出力および音声出力にデコードして出力する。以下、ＭＰＥＧ復号部１６ａ、１６ｂを区別なく呼称する場合、または、総称する場合は単に「ＭＰＥＧ復号部１６」と称するものとする。
【００２４】
スイッチング素子１７ａ、１７ｂは、ＭＰＥＧ復号部１６ａ、１６ｂのいずれかから出力された映像信号および音声信号を表示器４０およびスピーカ４１に伝送するためのスイッチング手段である。以下、スイッチング素子１７ａ、１７ｂを区別なく呼称する場合、または、総称する場合は単に「スイッチング素子１７」と称するものとする。
【００２５】
ＥＰＧ制御部２０は、多重分離部１５ｂから出力される信号からＥＰＧ情報等を含む付帯情報を取得して付帯情報記憶部２１に記憶させる。ＥＰＧ制御部２０は、付帯情報記憶部２１に記憶した付帯情報のうちＥＰＧ情報を読み出し、表示器４０に送信して表示させる。
【００２６】
付帯情報記憶部２１は、ＥＰＧ制御部２０により取得された付帯情報を記憶する記憶装置である。付帯情報記憶部２１は、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等の不揮発性の記憶装置によって実現される。
【００２７】
切替制御部２２は、後述する制御部３０から受信した制御信号に基づいて、スイッチング素子１７ａ、１７ｂのＯＮ／ＯＦＦを切り替える。
【００２８】
種別判定部２３は、ＭＰＥＧ復号部１６ａから出力される映像出力に含まれるウォーターマークや音声、映像データ等をもとに、その映像出力が番組であるのか、映像出力が番組でない（例えば、ＣＭ）のかを判定し、判定内容を含む放送識別情報を、後述する制御部３０の割当部３２に送信する。
【００２９】
信号レベル検出部２４は、ダイバーシティ制御部１３から第１ライン５０ａに出力されるＩＦ信号のＣ／Ｎ比（Ｃａｒｒｉｅｒ  ｔｏ  Ｎｏｉｓｅ  Ｒａｔｉｏ）（視聴関連信号）を検出して、検出したＣ／Ｎ比を後述する制御部３０のレベル判定部３４に送信する。なお、信号レベル検出部２４は、ダイバーシティ制御部１３から第１ライン５０ａに出力されるＩＦ信号のＣ／Ｎ比を検出するものとしているが、これに限定されるものではない。すなわち、ダイバーシティ制御部１３の第１ライン５０ａより後段のＭＰＥＧ復号部１６ａから出力される信号に基づく復号エラーの量（視聴関連信号）を検出するものとしてもよい。
【００３０】
選局部２５は、後述する割当部３２から受信した割当情報に基づいて、チューナ１１ａ〜１１ｆそれぞれが、視聴用の放送波を受信するためのチューナであるか、付帯情報を取得する放送波を受信するためのチューナであるかを割り当てる。そして、選局部２５は、チューナ１１ａ〜１１ｆのうち視聴用の放送波を受信するためのチューナに対して、リモコン２から受信部２６により受信されたチャンネルに設定する。また、選局部２５は、チューナ１１ａ〜１１ｆのうち付帯情報を取得する放送波を受信するためのチューナに対して、後述する決定部３３によって決定された放送局のチャンネルに設定する。受信部２６は、上述のように、リモコン２から視聴用の放送波を選局するためのチャンネル情報を、選局部２５に送信する。
【００３１】
制御部３０は、デジタル放送受信装置１の各部の動作を制御する装置である。制御部３０は、例えば、ＣＰＵ（Ｃｅｎｔｒａｌ  Ｐｒｏｃｅｓｓｉｎｇ  Ｕｎｉｔ）およびＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等で実現される。制御部３０は、計測部３１と、割当部３２と、決定部３３と、レベル判定部３４と、を有する。計測部３１、割当部３２、決定部３３およびレベル判定部３４は、図示しないＲＯＭ（Ｒｅａｄ  Ｏｎｌｙ  Ｍｅｍｏｒｙ）に記憶されているプログラムが制御部３０によって読み出されることによって実現される。なお、制御部３０の上述の各部は、それぞれ明確に区分されている必要はなく、制御部３０において処理されるプログラム等のソフトウェア、または電子回路等のハードウェアによって実現されるものとしてもよい。
【００３２】
計測部３１は、デジタル放送受信装置１の所定の状態になってからの経過時間を計測する。計測部３１は、例えば、デジタル放送受信装置１の電源がＯＮ状態になり、アンテナ１０が放送波を受信し始めてからの経過時間を計測し、そして、後述するようにＥＰＧ制御部２０による付帯情報の収集動作の開始からの経過時間を計測する。
【００３３】
割当部３２は、種別判定部２３から受信した放送識別情報に基づいて、後述する割当記憶部３５に記憶された割当テーブルを参照し、チューナ１１に対して視聴用の放送波を受信するためのチューナであるか、付帯情報を取得する放送波を受信するためのチューナであるかを割り当てる情報を含む割当情報を生成する。割当部３２は、生成した割当情報を、ダイバーシティ制御部１３および選局部２５に送信する。
【００３４】
決定部３３は、付帯情報記憶部２１に記憶されている付帯情報を参照し、不足している付帯情報を確認して、その付帯情報に対応する放送局（付帯情報局）を決定し、決定した付帯情報局情報を選局部２５に送信する。
【００３５】
レベル判定部３４は、信号レベル検出部２４によって検出されたＣ／Ｎ比に対して閾値判定を実行する。
【００３６】
割当記憶部３５は、図４において後述するように、チューナ１１に対して視聴用の放送波を受信するためのチューナであるか、付帯情報を取得する放送波を受信するためのチューナであるかを割り当てるための情報を含む割当テーブルを記憶している記憶装置である。割当記憶部３５は、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等の不揮発性の記憶装置によって実現される。なお、図２において、上述の付帯情報記憶部２１と、割当記憶部３５とは、別々の記憶装置として示されているが、これに限定されるものではなく、付帯情報記憶部２１と割当記憶部３５とは同一の記憶装置によって実現されるものとしてもよい。
【００３７】
表示器４０は、ＭＰＥＧ復号部１６から出力された映像出力、または、ＥＰＧ制御部２０から受信したＥＰＧ情報を表示する表示装置である。表示器４０は、ＬＣＤ（Ｌｉｑｕｉｄ  Ｃｒｙｓｔａｌ  Ｄｉｓｐｌａｙ）等によって実現される。
【００３８】
スピーカ４１は、ＭＰＥＧ復号部１６から出力された音声出力を音声として出力する。
【００３９】
なお、図２に示すように、アンテナ１０、チューナ１１およびＡ／Ｄ変換部１２までの系統（ライン）を６系統としているが、これに限定されるものではなく、３系統以上であればよい。
【００４０】
（デジタル放送受信装置の付帯情報の収集動作）
図３は、実施形態に係るデジタル放送受信装置の付帯情報の収集動作の例を示すフローチャートである。図４は、割当テーブルの構成例を示す図である。図３および４を参照しながら、本実施形態に係るデジタル放送受信装置１による付帯情報の収集動作について説明する。なお、ダイバーシティ制御部１３の第１ライン５０ａのＩＦ信号を視聴用に使用するものとするため、予め、制御部３０は、切替制御部２２に制御信号を送信し、スイッチング素子１７ａはＯＮ状態、スイッチング素子１７ｂはＯＦＦ状態となっているものとする。
【００４１】
＜ステップＳ１１＞
計測部３１は、デジタル放送受信装置１の電源がオン状態になり、アンテナ１０が放送波を受信し始めてからの経過時間を計測する。種別判定部２３は、計測部３１により計測された経過時間が所定時間に達した場合、チューナ１１がアンテナ１０を介して受信している放送波の放送内容が番組であるかＣＭであるかを判定する。そして、ステップＳ１２へ進む。
【００４２】
＜ステップＳ１２＞
種別判定部２３は、チューナ１１がアンテナ１０を介して受信している放送波の放送内容に対しての判定内容を示す放送識別情報を割当部３２に送信する。放送内容がＣＭである場合（ステップＳ１２：Ｙｅｓ）、ステップＳ１３へ進み、放送内容が番組である場合（ステップＳ１２：Ｎｏ）、ステップＳ１５へ進む。
【００４３】
＜ステップＳ１３＞
割当部３２は、受信した放送識別情報からアンテナ１０が受信している放送波がＣＭであると判断し、チューナ１１の割り当てを図４に示す割当テーブルの割当種別Ａ１で識別される割り当てとなるように割り当て処理を実行、すなわち、割当情報を生成する。割当部３２は、割当情報を、ダイバーシティ制御部１３および選局部２５に送信する。決定部３３は、付帯情報記憶部２１を参照して、不足している付帯情報を確認し、その付帯情報に対応する放送局（付帯情報局）を決定し、決定した付帯情報局情報を選局部２５に送信する。選局部２５は、割当情報および付帯情報局情報に基づいて、チューナ１１ｃ、１１ｅに対し視聴用の放送波を流す放送局のチャンネルに設定し、チューナ１１ａ、１１ｂ、１１ｄ、１１ｆに対し付帯情報の取得のための放送波を流す放送局のチャンネルに設定する。ダイバーシティ制御部１３は、割当情報に基づいて、視聴用に割り当てるチューナ１１をチューナ１１ｃ、１１ｅに決定して、そのチューナ１１ｃ、１１ｅに対応するＡ／Ｄ変換部１２ｃ、１２ｅから出力されるＩＦ信号の合成処理を実行して、第１ライン５０ａに合成処理したＩＦ信号を出力する。切替制御部２２は、上述のように、割当情報に基づいて、ダイバーシティ制御部１３によりＩＦ信号が出力される第１ライン５０ａにおけるＭＰＥＧ復号部１６ａから出力される映像出力および音声出力をそれぞれ表示器４０およびスピーカ４１に送信されるように予めスイッチング素子１７を切り替えている。具体的には、切替制御部２２は、スイッチング素子１７ａをＯＮ状態にし、スイッチング素子１７ｂをＯＦＦ状態にしている。そして、ステップＳ１４へ進む。
【００４４】
＜ステップＳ１４＞
信号レベル検出部２４は、ダイバーシティ制御部１３により合成処理された第１ライン５０ａのＩＦ信号のＣ／Ｎ比を検出し、検出したＣ／Ｎ比をレベル判定部３４に送信する。レベル判定部３４は、受信したＣ／Ｎ比が閾値Ｃ／Ｎ＿ｔｈ１（第１閾値、第３閾値）以上であるか否かを判定する。ここで、閾値Ｃ／Ｎ＿ｔｈ１は、割当部３２によって生成された割当情報に含まれる割当種別Ａ１に対応する閾値である。Ｃ／Ｎ比が閾値Ｃ／Ｎ＿ｔｈ１以上である場合（ステップＳ１４：Ｙｅｓ）、ステップＳ１７へ進み、Ｃ／Ｎ比が閾値Ｃ／Ｎ＿ｔｈ１未満である場合（ステップＳ１４：Ｎｏ）、ステップＳ２７へ進む。
【００４５】
＜ステップＳ１５＞
割当部３２は、受信した放送識別情報からアンテナ１０が受信している放送波が番組であると判断し、チューナ１１の割り当てを図４に示す割当テーブルの割当種別Ａ２で識別される割り当てとなるように割り当て処理を実行、すなわち、割当情報を生成する。割当部３２は、割当情報を、ダイバーシティ制御部１３および選局部２５に送信する。決定部３３は、付帯情報記憶部２１を参照して、不足している付帯情報を確認し、その付帯情報に対応する放送局（付帯情報局）を決定し、決定した付帯情報局情報を選局部２５に送信する。選局部２５は、割当情報および付帯情報局情報に基づいて、チューナ１１ａ、１１ｃ、１１ｅに対し視聴用の放送波を流す放送局のチャンネルに設定し、チューナ１１ｂ、１１ｄ、１１ｆに対し付帯情報の取得のための放送波を流す放送局のチャンネルに設定する。ダイバーシティ制御部１３は、割当情報に基づいて、視聴用に割り当てるチューナ１１をチューナ１１ａ、１１ｃ、１１ｅに決定して、そのチューナ１１ａ、１１ｃ、１１ｅに対応するＡ／Ｄ変換部１２ａ、１２ｃ、１２ｅから出力されるＩＦ信号の合成処理を実行して、第１ライン５０ａに合成処理したＩＦ信号を出力する。切替制御部２２は、上述のように、割当情報に基づいて、ダイバーシティ制御部１３によりＩＦ信号が出力される第１ライン５０ａにおけるＭＰＥＧ復号部１６ａから出力される映像出力および音声出力をそれぞれ表示器４０およびスピーカ４１に送信されるように予めスイッチング素子１７を切り替えている。具体的には、切替制御部２２は、スイッチング素子１７ａをＯＮ状態にし、スイッチング素子１７ｂをＯＦＦ状態にしている。そして、ステップＳ１６へ進む。
【００４６】
＜ステップＳ１６＞
信号レベル検出部２４は、ダイバーシティ制御部１３により合成処理された第１ライン５０ａのＩＦ信号のＣ／Ｎ比を検出し、検出したＣ／Ｎ比をレベル判定部３４に送信する。レベル判定部３４は、受信したＣ／Ｎ比が閾値Ｃ／Ｎ＿ｔｈ２（第２閾値、第３閾値）以上であるか否かを判定する。ここで、閾値Ｃ／Ｎ＿ｔｈ２（＞Ｃ／Ｎ＿ｔｈ１）は、割当部３２によって生成された割当情報に含まれる割当種別Ａ２に対応する閾値である。Ｃ／Ｎ比が閾値Ｃ／Ｎ＿ｔｈ２以上である場合（ステップＳ１６：Ｙｅｓ）、ステップＳ１７へ進み、Ｃ／Ｎ比が閾値Ｃ／Ｎ＿ｔｈ２未満である場合（ステップＳ１６：Ｎｏ）、ステップＳ２７へ進む。
【００４７】
＜ステップＳ１７＞
ダイバーシティ制御部１３は、割当情報に基づいて、付帯情報の取得用に割り当てるチューナ１１を決定して、対応するＡ／Ｄ変換部１２から出力されるＩＦ信号の合成処理を実行する。ダイバーシティ制御部１３は、合成処理したＩＦ信号を、第２ライン５０ｂに出力する。ＥＰＧ制御部２０は、割当情報に基づいて、第２ライン５０ｂに対応する多重分離部１５ｂから出力される信号から付帯情報を抽出して収集し、付帯情報記憶部２１に記憶させる。計測部３１は、ＥＰＧ制御部２０による付帯情報の収集動作の開始からの経過時間を計測する。そして、ステップＳ１８へ進む。
【００４８】
＜ステップＳ１８＞
ＥＰＧ制御部２０が付帯情報の収集動作が完了した場合（ステップＳ１８：Ｙｅｓ）、ステップＳ２７へ進み、完了していない場合（ステップＳ１８：Ｎｏ）、ステップＳ１９へ進む。
【００４９】
＜ステップＳ１９＞
計測部３１がＥＰＧ制御部２０による付帯情報の収集動作の開始から所定時間が経過した場合（ステップＳ１９：Ｙｅｓ）、ステップＳ２０へ進み、所定時間が経過していない場合（ステップＳ１９：Ｎｏ）、ステップＳ１８へ戻る。
【００５０】
＜ステップＳ２０＞
種別判定部２３は、チューナ１１がアンテナ１０を介して受信している放送波の放送内容が番組であるかＣＭであるかを判定する。そして、ステップＳ２１へ進む。
【００５１】
＜ステップＳ２１＞
種別判定部２３は、チューナ１１がアンテナ１０を介して受信している放送波の放送内容に対しての判定内容を示す放送識別情報を割当部３２に送信する。放送内容がＣＭである場合（ステップＳ２１：Ｙｅｓ）、ステップＳ２２へ進み、放送内容が番組である場合（ステップＳ２１：Ｎｏ）、ステップＳ２４へ進む。
【００５２】
＜ステップＳ２２＞
割当部３２は、受信した放送識別情報からアンテナ１０が受信している放送波がＣＭであると判断し、チューナ１１の割り当てを図４に示す割当テーブルの割当種別Ｂ１で識別される割り当てとなるように割り当て処理を実行、すなわち、割当情報を生成する。割当部３２は、割当情報を、ダイバーシティ制御部１３および選局部２５に送信する。選局部２５は、割当情報に基づいて、チューナ１１ａ、１１ｃ、１１ｅに対し視聴用の放送波を流す放送局のチャンネルに設定し、チューナ１１ｂ、１１ｄ、１１ｆに対し付帯情報の取得のための放送波を流す放送局のチャンネルに設定する。ダイバーシティ制御部１３は、割当情報に基づいて、視聴用に割り当てるチューナ１１をチューナ１１ａ、１１ｃ、１１ｅに決定して、そのチューナ１１ａ、１１ｃ、１１ｅに対応するＡ／Ｄ変換部１２ａ、１２ｃ、１２ｅから出力されるＩＦ信号の合成処理を実行して、第１ライン５０ａに合成処理したＩＦ信号を出力する。そして、ステップＳ２３へ進む。
【００５３】
＜ステップＳ２３＞
信号レベル検出部２４は、ダイバーシティ制御部１３により合成処理された第１ライン５０ａのＩＦ信号のＣ／Ｎ比を検出し、検出したＣ／Ｎ比をレベル判定部３４に送信する。レベル判定部３４は、受信したＣ／Ｎ比が閾値Ｃ／Ｎ＿ｔｈ３（第１閾値、第４閾値）以上であるか否かを判定する。ここで、閾値Ｃ／Ｎ＿ｔｈ３は、割当部３２によって生成された割当情報に含まれる割当種別Ｂ１に対応する閾値である。Ｃ／Ｎ比が閾値Ｃ／Ｎ＿ｔｈ３以上である場合（ステップＳ２３：Ｙｅｓ）、ステップＳ１８へ戻り、Ｃ／Ｎ比が閾値Ｃ／Ｎ＿ｔｈ３未満である場合（ステップＳ２３：Ｎｏ）、ステップＳ２６へ進む。
【００５４】
＜ステップＳ２４＞
割当部３２は、受信した放送識別情報からアンテナ１０が受信している放送波が番組であると判断し、チューナ１１の割り当てを図４に示す割当テーブルの割当種別Ｂ２で識別される割り当てとなるように割り当て処理を実行、すなわち、割当情報を生成する。割当部３２は、割当情報を、ダイバーシティ制御部１３および選局部２５に送信する。選局部２５は、割当情報に基づいて、チューナ１１ａ〜１１ｃ、１１ｅに対し視聴用の放送波を流す放送局のチャンネルに設定し、チューナ１１ｄ、１１ｆに対し付帯情報の取得のための放送波を流す放送局のチャンネルに設定する。ダイバーシティ制御部１３は、割当情報に基づいて、視聴用に割り当てるチューナ１１をチューナ１１ａ〜１１ｃ、１１ｅに決定して、そのチューナ１１ａ〜１１ｃ、１１ｅに対応するＡ／Ｄ変換部１２ａ〜１２ｃ、１２ｅから出力されるＩＦ信号の合成処理を実行して、第１ライン５０ａに合成処理したＩＦ信号を出力する。そして、ステップＳ２５へ進む。
【００５５】
＜ステップＳ２５＞
信号レベル検出部２４は、ダイバーシティ制御部１３により合成処理された第１ライン５０ａのＩＦ信号のＣ／Ｎ比を検出し、検出したＣ／Ｎ比をレベル判定部３４に送信する。レベル判定部３４は、受信したＣ／Ｎ比が閾値Ｃ／Ｎ＿ｔｈ４（第２閾値、第４閾値）以上であるか否かを判定する。ここで、閾値Ｃ／Ｎ＿ｔｈ４（＞Ｃ／Ｎ＿ｔｈ３）は、割当部３２によって生成された割当情報に含まれる割当種別Ｂ２に対応する閾値である。Ｃ／Ｎ比が閾値Ｃ／Ｎ＿ｔｈ４以上である場合（ステップＳ２５：Ｙｅｓ）、ステップＳ１８へ戻り、Ｃ／Ｎ比が閾値Ｃ／Ｎ＿ｔｈ４未満である場合（ステップＳ２５：Ｎｏ）、ステップＳ２６へ進む。
【００５６】
＜ステップＳ２６＞
ＥＰＧ制御部２０は、レベル判定部３４の判定結果によってＣ／Ｎ比の大きさが、付帯情報の収集動作に必要なレベルに達していないと判断して、付帯情報の収集動作を中止する。そして、ステップＳ２７へ進む。
【００５７】
＜ステップＳ２７＞
割当部３２は、チューナ１１の割り当てを図４に示す割当テーブルの割当種別Ｃで識別される割り当て（すべてのチューナ１１を視聴用に割り当て）となるように割り当て処理を実行、すなわち、割当情報を生成する。割当部３２は、割当情報を、ダイバーシティ制御部１３および選局部２５に送信する。選局部２５は、割当情報に基づいて、すべてのチューナ１１ａ〜１１ｆに対し視聴用の放送波を流す放送局のチャンネルに設定する。ダイバーシティ制御部１３は、割当情報に基づいて、視聴用に割り当てるチューナ１１をすべてのチューナ１１ａ〜１１ｆに決定して、そのチューナ１１ａ〜１１ｆに対応するＡ／Ｄ変換部１２ａ〜１２ｆから出力されるＩＦ信号の合成処理を実行して、第１ライン５０ａに合成処理したＩＦ信号を出力する。以上で、デジタル放送受信装置１における付帯情報の収集動作を終了する。
【００５８】
付帯情報の収集動作終了後、計測部３１によって計測されていたアンテナ１０が放送波を受信し始めてからの経過時間はリセットされ、再計測される。そして、計測部３１により再計測された経過時間が所定時間に達した場合、上述の付帯情報の収集動作が再度実行される。
【００５９】
（付帯情報の収集動作が正常完了する場合の具体的動作例）
図５は、実施形態に係るデジタル放送受信装置の付帯情報の収集動作が正常に完了する場合の動作例を示すシーケンス図である。図６は、付帯情報の収集動作が正常に完了する場合におけるＣ／Ｎ比の変遷の例を示す図である。図５および６を参照しながら、デジタル放送受信装置１における付帯情報の収集動作が正常完了する場合の具体的動作例について説明する。なお、図６においては、説明の便宜上、閾値Ｃ／Ｎ＿ｔｈ１および閾値Ｃ／Ｎ＿ｔｈ３を同じ値として記載しているが、双方が異なる値であってもよいのは言うまでもない。また、ダイバーシティ制御部１３の第１ライン５０ａのＩＦ信号を視聴用に使用するものとするため、予め、制御部３０は、切替制御部２２に制御信号を送信し、スイッチング素子１７ａはＯＮ状態、スイッチング素子１７ｂはＯＦＦ状態となっているものとする。
【００６０】
計測部３１は、デジタル放送受信装置１の電源がオン状態になり、アンテナ１０が放送波を受信し始めてからの経過時間を計測する（ステップＳ１０１）。
【００６１】
種別判定部２３は、計測部３１により計測された経過時間が所定時間に達した場合、チューナ１１がアンテナ１０を介して受信している放送波の放送内容が番組であるかＣＭであるかを判定する（ステップＳ１０２）。種別判定部２３は、チューナ１１により受信されている放送波の放送内容がＣＭであると判定し、その判定内容を示す放送識別情報を割当部３２に送信する（ステップＳ１０３）。
【００６２】
割当部３２は、受信した放送識別情報からアンテナ１０が受信している放送波がＣＭであると判断し、チューナ１１の割り当てを図４に示す割当テーブルの割当種別Ａ１で識別される割り当てとなるように割り当て処理を実行、すなわち、割当情報を生成する（ステップＳ１０４）。割当部３２は、割当情報を、ダイバーシティ制御部１３および選局部２５に送信する（ステップＳ１０５）。
【００６３】
決定部３３は、付帯情報記憶部２１を参照して、不足している付帯情報を確認し、その付帯情報に対応する放送局（付帯情報局）を決定し（ステップＳ１０６）、決定した付帯情報局情報を選局部２５に送信する（ステップＳ１０７）。選局部２５は、割当情報および付帯情報局情報に基づいて、チューナ１１ｃ、１１ｅに対し視聴用の放送波を流す放送局のチャンネルに設定し、チューナ１１ａ、１１ｂ、１１ｄ、１１ｆに対し付帯情報の取得のための放送波を流す放送局のチャンネルに設定する（ステップＳ１０８）。ダイバーシティ制御部１３は、割当情報に基づいて、視聴用に割り当てるチューナ１１をチューナ１１ｃ、１１ｅに決定して、そのチューナ１１ｃ、１１ｅに対応するＡ／Ｄ変換部１２ｃ、１２ｅから出力されるＩＦ信号の合成処理を実行して、第１ライン５０ａに合成処理したＩＦ信号を出力する（ステップＳ１０９）。
【００６４】
信号レベル検出部２４は、ダイバーシティ制御部１３により合成処理された第１ライン５０ａのＩＦ信号のＣ／Ｎ比を検出し、検出したＣ／Ｎ比をレベル判定部３４に送信する。レベル判定部３４は、受信したＣ／Ｎ比が閾値Ｃ／Ｎ＿ｔｈ１以上であるか否かを判定し、検出されたＣ／Ｎ比Ｒ１（図６参照）が閾値Ｃ／Ｎ＿ｔｈ１以上であると判定する（ステップＳ１１０）。
【００６５】
ダイバーシティ制御部１３は、割当情報に基づいて、付帯情報の取得用に割り当てるチューナ１１をチューナ１１ａ、１１ｂ、１１ｄ、１１ｆに決定して、対応するＡ／Ｄ変換部１２ａ、１２ｂ、１２ｄ、１２ｆから出力されるＩＦ信号の合成処理を実行する（ステップＳ１１１）。ダイバーシティ制御部１３は、合成処理したＩＦ信号を、第２ライン５０ｂに出力する。ＥＰＧ制御部２０は、割当情報に基づいて、第２ライン５０ｂに対応する多重分離部１５ｂから出力される信号から付帯情報を抽出して収集し、付帯情報記憶部２１に記憶させる（ステップＳ１１２）。計測部３１は、ＥＰＧ制御部２０による付帯情報の収集動作の開始からの経過時間を計測する（ステップＳ１１３）。
【００６６】
種別判定部２３は、ＥＰＧ制御部２０による付帯情報の収集動作が終了しておらず、かつ、計測部３１による計測された経過時間が所定時間に達した場合（ステップＳ１１４）、チューナ１１ｃ、１１ｅがアンテナ１０ｃ、１０ｅを介して受信している放送波の内容が番組であるかＣＭであるかを判定する（ステップＳ１１５）。種別判定部２３は、チューナ１１ｃ、１１ｅにより受信されている放送波の放送内容が依然としてＣＭであると判定し、その判定内容を示す放送識別情報を割当部３２に送信する（ステップＳ１１６）。
【００６７】
割当部３２は、受信した放送識別情報からアンテナ１０ｃ、１０ｅが受信している放送波がＣＭであると判断し、チューナ１１の割り当てを図４に示す割当テーブルの割当種別Ｂ１で識別される割り当てとなるように割り当て処理を実行、すなわち、割当情報を生成する（ステップＳ１１７）。割当部３２は、割当情報を、ダイバーシティ制御部１３および選局部２５に送信する（ステップＳ１１８）。
【００６８】
選局部２５は、割当情報に基づいて、チューナ１１ａ、１１ｃ、１１ｅに対し視聴用の放送波を流す放送局のチャンネルに設定し、チューナ１１ｂ、１１ｄ、１１ｆに対し付帯情報の取得のための放送波を流す放送局のチャンネルに設定する（ステップＳ１１９）。ダイバーシティ制御部１３は、割当情報に基づいて、視聴用に割り当てるチューナ１１をチューナ１１ａ、１１ｃ、１１ｅに決定して、そのチューナ１１ａ、１１ｃ、１１ｅに対応するＡ／Ｄ変換部１２ａ、１２ｃ、１２ｅから出力されるＩＦ信号の合成処理を実行して、第１ライン５０ａに合成処理したＩＦ信号を出力する（ステップＳ１２０）。
【００６９】
信号レベル検出部２４は、ダイバーシティ制御部１３により合成処理された第１ライン５０ａのＩＦ信号のＣ／Ｎ比を検出し、検出したＣ／Ｎ比をレベル判定部３４に送信する。レベル判定部３４は、受信したＣ／Ｎ比が閾値Ｃ／Ｎ＿ｔｈ３以上であるか否かを判定し、検出されたＣ／Ｎ比Ｒ２（図６参照）が閾値Ｃ／Ｎ＿ｔｈ３以上であると判定する（ステップＳ１２１）。
【００７０】
ダイバーシティ制御部１３は、割当情報に基づいて、付帯情報の取得用に割り当てるチューナ１１をチューナ１１ｂ、１１ｄ、１１ｆに決定して、対応するＡ／Ｄ変換部１２ｂ、１２ｄ、１２ｆから出力されるＩＦ信号の合成処理を実行する（ステップＳ１２２）。ダイバーシティ制御部１３は、合成処理したＩＦ信号を、第２ライン５０ｂに出力する。ＥＰＧ制御部２０は、割当情報に基づいて、第２ライン５０ｂに対応する多重分離部１５ｂから出力される信号から付帯情報を抽出して収集動作を継続し、付帯情報記憶部２１に記憶させる（ステップＳ１２３）。以降、ＥＰＧ制御部２０による付帯情報の収集動作が終了するまで、レベル判定部３４による判定動作が継続して繰り返される。
【００７１】
次に、種別判定部２３は、視聴用に割り当てられたチューナ１１ａ、１１ｃ、１１ｅが受信している放送波の放送内容がＣＭから番組に切り替わったことを検出する（ステップＳ１２４）。種別判定部２３は、チューナ１１ａ、１１ｃ、１１ｅにより受信されている放送波の放送内容が番組であることを示す放送識別情報を割当部３２に送信する（ステップＳ１２５）。
【００７２】
割当部３２は、受信した放送識別情報からアンテナ１０ａ、１０ｃ、１０ｅが受信している放送波が番組であると判断し、チューナ１１の割り当てを図４に示す割当テーブルの割当種別Ｂ２で識別される割り当てとなるように割り当て処理を実行、すなわち、割当情報を生成する（ステップＳ１２６）。割当部３２は、割当情報を、ダイバーシティ制御部１３および選局部２５に送信する（ステップＳ１２７）。
【００７３】
選局部２５は、割当情報に基づいて、チューナ１１ａ〜１１ｃ、１１ｅに対し視聴用の放送波を流す放送局のチャンネルに設定し、チューナ１１ｄ、１１ｆに対し付帯情報の取得のための放送波を流す放送局のチャンネルに設定する（ステップＳ１２８）。ダイバーシティ制御部１３は、割当情報に基づいて、視聴用に割り当てるチューナ１１をチューナ１１ａ〜１１ｃ、１１ｅに決定して、そのチューナ１１ａ〜１１ｃ、１１ｅに対応するＡ／Ｄ変換部１２ａ〜１２ｃ、１２ｅから出力されるＩＦ信号の合成処理を実行して、第１ライン５０ａに合成処理したＩＦ信号を出力する（ステップＳ１２９）。
【００７４】
信号レベル検出部２４は、ダイバーシティ制御部１３により合成処理された第１ライン５０ａのＩＦ信号のＣ／Ｎ比を検出し、検出したＣ／Ｎ比をレベル判定部３４に送信する。レベル判定部３４は、受信したＣ／Ｎ比が閾値Ｃ／Ｎ＿ｔｈ４以上であるか否かを判定し、検出されたＣ／Ｎ比Ｒ３（図６参照）が閾値Ｃ／Ｎ＿ｔｈ４以上であると判定する（ステップＳ１３０）。
【００７５】
ダイバーシティ制御部１３は、割当情報に基づいて、付帯情報の取得用に割り当てるチューナ１１をチューナ１１ｄ、１１ｆに決定して、対応するＡ／Ｄ変換部１２ｄ、１２ｆから出力されるＩＦ信号の合成処理を実行する（ステップＳ１３１）。ダイバーシティ制御部１３は、合成処理したＩＦ信号を、第２ライン５０ｂに出力する。ＥＰＧ制御部２０は、割当情報に基づいて、第２ライン５０ｂに対応する多重分離部１５ｂから出力される信号から付帯情報を抽出して収集動作を継続し、付帯情報記憶部２１に記憶させる。
【００７６】
そして、ＥＰＧ制御部２０による付帯情報の収集動作が完了すると（ステップＳ１３２）、割当部３２は、チューナ１１の割り当てを図４に示す割当テーブルの割当種別Ｃで識別される割り当て（すべてのチューナ１１を視聴用に割り当て）となるように割り当て処理を実行、すなわち、割当情報を生成する（ステップＳ１３３）。割当部３２は、割当情報を、ダイバーシティ制御部１３および選局部２５に送信する（ステップＳ１３４）。
【００７７】
選局部２５は、割当情報に基づいて、すべてのチューナ１１ａ〜１１ｆに対し視聴用の放送波を流す放送局のチャンネルに設定する（ステップＳ１３５）。ダイバーシティ制御部１３は、割当情報に基づいて、視聴用に割り当てるチューナ１１をすべてのチューナ１１ａ〜１１ｆに決定して、そのチューナ１１ａ〜１１ｆに対応するＡ／Ｄ変換部１２ａ〜１２ｆから出力されるＩＦ信号の合成処理を実行して、第１ライン５０ａに合成処理したＩＦ信号を出力する（ステップＳ１３６）。
【００７８】
（付帯情報の収集動作が中止する場合の具体的動作例）
図７は、実施形態に係るデジタル放送受信装置の付帯情報の収集動作が途中で中止する場合の動作例を示すシーケンス図である。図８は、付帯情報の収集動作が途中で中止する場合におけるＣ／Ｎ比の変遷の例を示す図である。図７および８を参照しながら、デジタル放送受信装置１における付帯情報の収集動作が中止する場合の具体的動作例について説明する。なお、図８においては、説明の便宜上、閾値Ｃ／Ｎ＿ｔｈ２および閾値Ｃ／Ｎ＿ｔｈ４を同じ値として記載しているが、双方が異なる値であってもよいのは言うまでもない。また、ダイバーシティ制御部１３の第１ライン５０ａのＩＦ信号を視聴用に使用するものとするため、予め、制御部３０は、切替制御部２２に制御信号を送信し、スイッチング素子１７ａはＯＮ状態、スイッチング素子１７ｂはＯＦＦ状態となっているものとする。
【００７９】
計測部３１は、デジタル放送受信装置１の電源がオン状態になり、アンテナ１０が放送波を受信し始めてからの経過時間を計測する（ステップＳ２０１）。
【００８０】
種別判定部２３は、計測部３１による計測された経過時間が所定時間に達した場合、チューナ１１がアンテナ１０を介して受信している放送波の放送内容が番組であるかＣＭであるかを判定する（ステップＳ２０２）。種別判定部２３は、チューナ１１により受信されている放送波の放送内容が番組であると判定し、その判定内容を示す放送識別情報を割当部３２に送信する（ステップＳ２０３）。
【００８１】
割当部３２は、受信した放送識別情報からアンテナ１０が受信している放送波が番組であると判断し、チューナ１１の割り当てを図４に示す割当テーブルの割当種別Ａ２で識別される割り当てとなるように割り当て処理を実行、すなわち、割当情報を生成する（ステップＳ２０４）。割当部３２は、割当情報を、ダイバーシティ制御部１３および選局部２５に送信する（ステップＳ２０５）。
【００８２】
決定部３３は、付帯情報記憶部２１を参照して、不足している付帯情報を確認し、その付帯情報に対応する放送局（付帯情報局）を決定し（ステップＳ２０６）、決定した付帯情報局情報を選局部２５に送信する（ステップＳ２０７）。選局部２５は、割当情報および付帯情報局情報に基づいて、チューナ１１ａ、１１ｃ、１１ｅに対し視聴用の放送波を流す放送局のチャンネルに設定し、チューナ１１ｂ、１１ｄ、１１ｆに対し付帯情報の取得のための放送波を流す放送局にチャンネルを設定する（ステップＳ２０８）。ダイバーシティ制御部１３は、割当情報に基づいて、視聴用に割り当てるチューナ１１をチューナ１１ａ、１１ｃ、１１ｅに決定して、そのチューナ１１ａ、１１ｃ、１１ｅに対応するＡ／Ｄ変換部１２ａ、１２ｃ、１２ｅから出力されるＩＦ信号の合成処理を実行して、第１ライン５０ａに合成処理したＩＦ信号を出力する（ステップＳ２０９）。
【００８３】
信号レベル検出部２４は、ダイバーシティ制御部１３により合成処理された第１ライン５０ａのＩＦ信号のＣ／Ｎ比を検出し、検出したＣ／Ｎ比をレベル判定部３４に送信する。レベル判定部３４は、受信したＣ／Ｎ比が閾値Ｃ／Ｎ＿ｔｈ２以上であるか否かを判定し、検出されたＣ／Ｎ比Ｒ１１（図８参照）が閾値Ｃ／Ｎ＿ｔｈ２以上であると判定する（ステップＳ２１０）。
【００８４】
ダイバーシティ制御部１３は、割当情報に基づいて、付帯情報の取得用に割り当てるチューナ１１をチューナ１１ｂ、１１ｄ、１１ｆに決定して、対応するＡ／Ｄ変換部１２ｂ、１２ｄ、１２ｆから出力されるＩＦ信号の合成処理を実行する（ステップＳ２１１）。ダイバーシティ制御部１３は、合成処理したＩＦ信号を、第２ライン５０ｂに出力する。ＥＰＧ制御部２０は、割当情報に基づいて、第２ライン５０ｂに対応する多重分離部１５ｂから出力される信号から付帯情報を抽出して収集し、付帯情報記憶部２１に記憶させる（ステップＳ２１２）。計測部３１は、ＥＰＧ制御部２０による付帯情報の収集動作の開始からの経過時間を計測する（ステップＳ２１３）。
【００８５】
種別判定部２３は、ＥＰＧ制御部２０による付帯情報の収集動作が終了しておらず、かつ、計測部３１による計測された経過時間が所定時間に達した場合（ステップＳ２１４）、チューナ１１ａ、１１ｃ、１１ｅがアンテナ１０ａ、１０ｃ、１０ｅを介して受信している放送波の内容が番組であるかＣＭであるかを判定する（ステップＳ２１５）。種別判定部２３は、チューナ１１ａ、１１ｃ、１１ｅにより受信されている放送波の放送内容が依然として番組であると判定し、その判定内容を示す放送識別情報を割当部３２に送信する（ステップＳ２１６）。
【００８６】
割当部３２は、受信した放送識別情報からアンテナ１０ａ、１０ｃ、１０ｅが受信している放送波が番組であると判断し、チューナ１１の割り当てを図４に示す割当テーブルの割当種別Ｂ２で識別される割り当てとなるように割り当て処理を実行、すなわち、割当情報を生成する（ステップＳ２１７）。割当部３２は、割当情報を、ダイバーシティ制御部１３および選局部２５に送信する（ステップＳ２１８）。
【００８７】
選局部２５は、割当情報に基づいて、チューナ１１ａ〜１１ｃ、１１ｅに対し視聴用の放送波を流す放送局のチャンネルに設定し、チューナ１１ｄ、１１ｆに対し付帯情報の取得のための放送波を流す放送局のチャンネルに設定する（ステップＳ２１９）。ダイバーシティ制御部１３は、割当情報に基づいて、視聴用に割り当てるチューナ１１をチューナ１１ａ〜１１ｃ、１１ｅに決定して、そのチューナ１１ａ〜１１ｃ、１１ｅに対応するＡ／Ｄ変換部１２ａ〜１２ｃ、１２ｅから出力されるＩＦ信号の合成処理を実行して、第１ライン５０ａに合成処理したＩＦ信号を出力する（ステップＳ２２０）。
【００８８】
信号レベル検出部２４は、ダイバーシティ制御部１３により合成処理された第１ライン５０ａのＩＦ信号のＣ／Ｎ比を検出し、検出したＣ／Ｎ比をレベル判定部３４に送信する。レベル判定部３４は、受信したＣ／Ｎ比が閾値Ｃ／Ｎ＿ｔｈ４以上であるか否かを判定し、検出されたＣ／Ｎ比Ｒ１２（図６参照）が閾値Ｃ／Ｎ＿ｔｈ４以上であると判定する（ステップＳ２２１）。
【００８９】
ダイバーシティ制御部１３は、割当情報に基づいて、付帯情報の取得用に割り当てるチューナ１１をチューナ１１ｄ、１１ｆに決定して、対応するＡ／Ｄ変換部１２ｄ、１２ｆから出力されるＩＦ信号の合成処理を実行する（ステップＳ２２２）。ダイバーシティ制御部１３は、合成処理したＩＦ信号を、第２ライン５０ｂに出力する。ＥＰＧ制御部２０は、割当情報に基づいて、第２ライン５０ｂに対応する多重分離部１５ｂから出力される信号から付帯情報を抽出して収集動作を継続し、付帯情報記憶部２１に記憶させる（ステップＳ２２３）。以降、ＥＰＧ制御部２０による付帯情報の収集動作が終了するまで、レベル判定部３４による判定動作が継続して繰り返される。
【００９０】
次に、種別判定部２３は、視聴用に割り当てられたチューナ１１ａ〜１１ｃ、１１ｅが受信している放送波の放送内容が番組からＣＭに切り替わったことを検出する（ステップＳ２２４）。種別判定部２３は、チューナ１１ａ〜１１ｃ、１１ｅにより受信されている放送波の放送内容がＣＭであることを示す放送識別情報を割当部３２に送信する（ステップＳ２２７）。
【００９１】
割当部３２は、受信した放送識別情報からアンテナ１０ａ〜１０ｃ、１０ｅが受信している放送波がＣＭであると判断し、チューナ１１の割り当てを図４に示す割当テーブルの割当種別Ｂ１で識別される割り当てとなるように割り当て処理を実行、すなわち、割当情報を生成する（ステップＳ２２６）。割当部３２は、割当情報を、ダイバーシティ制御部１３および選局部２５に送信する（ステップＳ２２７）。
【００９２】
選局部２５は、割当情報に基づいて、チューナ１１ａ、１１ｃ、１１ｅに対し視聴用の放送波を流す放送局のチャンネルに設定し、チューナ１１ｂ、１１ｄ、１１ｆに対し付帯情報の取得のための放送波を流す放送局のチャンネルに設定する（ステップＳ２２８）。ダイバーシティ制御部１３は、割当情報に基づいて、視聴用に割り当てるチューナ１１をチューナ１１ａ、１１ｃ、１１ｅに決定して、そのチューナ１１ａ、１１ｃ、１１ｅに対応するＡ／Ｄ変換部１２ａ、１２ｃ、１２ｅから出力されるＩＦ信号の合成処理を実行して、第１ライン５０ａに合成処理したＩＦ信号を出力する（ステップＳ２２９）。
【００９３】
信号レベル検出部２４は、ダイバーシティ制御部１３により合成処理された第１ライン５０ａのＩＦ信号のＣ／Ｎ比を検出し、検出したＣ／Ｎ比をレベル判定部３４に送信する。レベル判定部３４は、受信したＣ／Ｎ比が閾値Ｃ／Ｎ＿ｔｈ３以上であるか否かを判定し、検出されたＣ／Ｎ比Ｒ１３（図６参照）が閾値Ｃ／Ｎ＿ｔｈ３未満であると判定する（ステップＳ２３０）。
【００９４】
ＥＰＧ制御部２０は、レベル判定部３４の判定結果によってＣ／Ｎ比Ｒ１３の大きさが、付帯情報の収集動作に必要なレベルに達していないと判断して、付帯情報の収集動作を中止する（ステップＳ２３１）。そして、割当部３２は、チューナ１１の割り当てを図４に示す割当テーブルの割当種別Ｃで識別される割り当て（すべてのチューナ１１を視聴用に割り当て）となるように割り当て処理を実行、すなわち、割当情報を生成する（ステップＳ２３２）。割当部３２は、割当情報を、ダイバーシティ制御部１３および選局部２５に送信する（ステップＳ２３３）。
【００９５】
選局部２５は、割当情報に基づいて、すべてのチューナ１１ａ〜１１ｆに対し視聴用の放送波を流す放送局のチャンネルに設定する（ステップＳ２３４）。ダイバーシティ制御部１３は、割当情報に基づいて、視聴用に割り当てるチューナ１１をすべてのチューナ１１ａ〜１１ｆに決定して、そのチューナ１１ａ〜１１ｆに対応するＡ／Ｄ変換部１２ａ〜１２ｆから出力されるＩＦ信号の合成処理を実行して、第１ライン５０ａに合成処理したＩＦ信号を出力する（ステップＳ２３５）。
【００９６】
以上のような動作のように、視聴されている放送内容がＣＭである場合における付帯情報を収集するための放送波を受信するためのチューナの割り当てを、視聴されている放送内容が番組である場合における付帯情報を収集するための放送波を受信するためのチューナの割り当てよりも多くしている。これによって、番組放送中は、付帯情報を収集しながらも、番組の放送波を感度よく受信することができ、番組と比較して比較的視聴価値が低いと考えられるＣＭ放送中は、積極的に付帯情報を収集するので、視聴されている放送の受信状態の品質を維持して視聴への影響を低減しつつ、十分な付帯情報の収集を図ることができる。
【００９７】
また、視聴されている放送がＣＭである場合の受信状態を判定するための閾値を、視聴されている放送が番組である場合の受信状態を判定するための閾値よりも低くしている。これによって、ＣＭ放送中における付帯情報の収集を積極的に実行できると共に、ＣＭ放送中でも、受信状態があまりにも悪い場合には、付帯情報の収集動作を中止して、全てのチューナを視聴用に割り当てるので、視聴への影響を低減することができる。
【００９８】
また、視聴されている放送が番組である場合の受信状態を判定するための閾値を、視聴されている放送がＣＭである場合の受信状態を判定するための閾値よりも高くしている。これによって、番組放送中における付帯情報の収集を行いながらも、番組放送の受信状態の品質を一定程度維持することができると共に、番組放送の受信状態が少しでも悪くなれば、付帯情報の収集動作を中止して、全てのチューナを視聴用に割り当てるので、視聴への影響を低減することができる。
【００９９】
また、付帯情報の収集動作中においても、視聴されている放送内容が番組であるかＣＭであるかを判定し、かつ、受信状態について閾値判定されるので、デジタル放送受信装置が移動して受信状態が変化しても、付帯情報の収集動作による、視聴されている放送の受信状態への影響を低減することができる。
【０１００】
また、付帯情報の収集動作中において、放送内容が切り替わった場合に、チューナの割り当てを切り替えるものとしている。具体的には、放送内容が番組に切り替わった場合、付帯情報を収集するための放送波を受信するためのチューナの割り当てを、視聴されている放送内容がＣＭである場合における付帯情報を収集するための放送波を受信するためのチューナの割り当てよりも少なくしている。また、放送内容がＣＭに切り替わった場合に、付帯情報を収集するための放送波を受信するためのチューナの割り当てを、視聴されている放送内容が番組である場合における付帯情報を収集するための放送波を受信するためのチューナの割り当てよりも多くしている。これによって、付帯情報の収集動作中においても、放送内容が番組に切り替わった場合、付帯情報を収集しながらも、番組の放送波を感度よく受信する動作に切り替わり、放送内容がＣＭに切り替わった場合、積極的に付帯情報を収集する動作に切り替わるので、視聴されている放送の受信状態の品質を維持して視聴への影響を低減しつつ、十分な付帯情報の収集を図ることができる。
【０１０１】
また、図４に示すように、付帯情報の収集動作開始時にチューナの割り当ての内容と、付帯情報の収集動作中におけるチューナの割り当ての内容とを異なるようにしている。具体的には、収集動作中における視聴用のチューナの割り当て（割当種別Ｂ１およびＢ２により識別される割り当て）を、収集動作開始時における視聴用のチューナの割り当て（割当種別Ａ１およびＡ２により識別される割り当て）よりも多くしている。これによって、付帯情報を収集するための放送波を受信するためにチューナが一部割り当てられる状態で、付帯情報の収集動作が長引くことによる視聴への影響を低減することができる。
【０１０２】
また、付帯情報の収集動作中におけるＣ／Ｎ比の閾値判定に用いる閾値（閾値Ｃ／Ｎ＿ｔｈ３またはＣ／Ｎ＿ｔｈ４）の大きさを、付帯情報の収集動作開始時におけるＣ／Ｎ比の閾値判定に用いる閾値（閾値Ｃ／Ｎ＿ｔｈ１またはＣ／Ｎ＿ｔｈ２）の値よりも大きいものとしてもよい。これによって、上述と同様に、付帯情報を収集するための放送波を受信するためにチューナが一部割り当てられる状態で、付帯情報の収集動作が長引くことによる視聴への影響を低減することができる。
【０１０３】
なお、図３に示すように、付帯情報の収集動作開始時の割り当て処理における割り当て（割当種別Ａ１およびＡ２によって識別される割り当て）と、収集動作開始後、所定時間経過後の割り当て処理における割り当て（割当種別Ｂ１およびＢ２によって識別される割り当て）とは、それぞれ別の割り当てとしているが、これに限定されるものではない。すなわち、割当種別Ａ１で識別される割り当てと割当種別Ｂ１で識別される割り当てとは同一とし、割当種別Ａ２で識別される割り当てと割当種別Ｂ２で識別される割り当てとは同一としてもよい。つまり、ステップＳ２２およびＳ２４における割り当て処理は省略するものとしてもよい。また、この場合、閾値について、Ｃ／Ｎ＿ｔｈ１＝Ｃ／Ｎ＿ｔｈ３とし、Ｃ／Ｎ＿ｔｈ２＝Ｃ／Ｎ＿ｔｈ４としてもよい。さらに、この場合は、ステップＳ１９における付帯情報の収集動作を開始してから所定時間が経過したか否かを確認するステップは省略するものとしてもよい。
【符号の説明】
【０１０４】
１  デジタル放送受信装置
２  リモコン
１０、１０ａ〜１０ｆ  アンテナ
１１、１１ａ〜１１ｆ  チューナ
１２、１２ａ〜１２ｆ  Ａ／Ｄ変換部
１３  ダイバーシティ制御部
１４、１４ａ、１４ｂ  ＯＦＤＭ復調部
１５、１５ａ、１５ｂ  多重分離部
１６、１６ａ、１６ｂ  ＭＰＥＧ復号部
１７、１７ａ、１７ｂ  スイッチング素子
２０  ＥＰＧ制御部
２１  付帯情報記憶部
２２  切替制御部
２３  種別判定部
２４  信号レベル検出部
２５  選局部
２６  受信部
３０  制御部
３１  計測部
３２  割当部
３３  決定部
３４  レベル判定部
３５  割当記憶部
４０  表示器
４１  スピーカ
５０ａ  第１ライン
５０ｂ  第２ライン
Ｃ／Ｎ＿ｔｈ１、Ｃ／Ｎ＿ｔｈ２、Ｃ／Ｎ＿ｔｈ３、Ｃ／Ｎ＿ｔｈ４  閾値
Ｒ１〜Ｒ３、Ｒ１１〜Ｒ１３  Ｃ／Ｎ比
【図１】
2015070532.tif 000003
【図２】
2015070532.tif 000004
【図３】
2015070532.tif 000005
【図４】
2015070532.tif 000006
【図５】
2015070532.tif 000007
【図６】
2015070532.tif 000008
【図７】
2015070532.tif 000009
【図８】
2015070532.tif 000010